【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
複数のセグメント領域を含むユーザデータ領域と、
少なくとも１つのアクセス制御情報を保存する制御データ領域であって、前記アクセス制御情報の各々は、前記ユーザデータ領域において少なくとも１つのセグメント領域を識別するセグメントデータと、前記少なくとも１つのセグメント領域へのアクセスを制御する制御データとを含むことと
を備え、１つのアクセス制御情報の中で識別された前記少なくとも１つのセグメント領域は重複しないことを特徴とする記録媒体。
【請求項２】
１つのアクセス制御情報の中で識別された前記少なくとも１つのセグメント領域は、他のアクセス制御情報の中で識別された少なくとも１つのセグメント領域と重複することを特徴とする請求項１に記載の記録媒体。
【請求項３】
前記セグメント領域における少なくとも１つの重複領域へのアクセスは、重複規則に従って制御されることを特徴とする請求項２に記載の記録媒体。
【請求項４】
前記重複規則は、論理輪（ＯＲ）規則であることを特徴とする請求項３に記載の記録媒体。
【請求項５】
前記少なくとも１つの重複領域を識別する前記セグメントデータを含むすべての前記アクセス制御情報がアクセスを許可する場合に、前記少なくとも１つの重複領域への前記アクセスが許可されることを特徴とする請求項３に記載の記録媒体。
【請求項６】
前記少なくとも１つの重複領域を識別する前記セグメントデータを含む前記アクセス制御情報の１つが前記重複領域へのアクセスを許可しない場合に、前記少なくとも１つの重複領域へのアクセスは許可されないことを特徴とする請求項３に記載の記録媒体。
【請求項７】
前記アクセスは、読み取りおよび／または書き込み動作を含むことを特徴とする請求項１に記載の記録媒体。
【請求項８】
前記重複規則は、最新の（ｍｏｓｔ  ｒｅｃｅｎｔ）規則であることを特徴とする請求項３に記載の記録媒体。
【請求項９】
前記セグメント領域における少なくとも１つの重複した領域へのアクセスは、最新のアクセス制御情報に従って制御されることを特徴とする請求項３に記載の記録媒体。
【請求項１０】
前記アクセスは、読み取りおよび／または書き込み動作を含むことを特徴とする請求項９に記載の記録媒体。
【請求項１１】
前記記録媒体の前記少なくとも１つのアクセス制御情報は、前記記録媒体へ記録をまたは前記記録媒体から再生を試みる装置に対して未知であり得ることを特徴とする請求項１に記載の記録媒体。
【請求項１２】
前記アクセス制御情報の各々は、前記アクセス制御情報が知られていないときに使用される未知の規則を含むことを特徴とする請求項１に記載の記録媒体。
【請求項１３】
前記未知の規則は、前記少なくとも１つのセグメント領域に対するデータゾーンビットを含み、前記データゾーンビットは前記アクセス制御情報の各々に対して利用可能なアクションを示していることを特徴とする請求項１２に記載の記録媒体。
【請求項１４】
前記記録媒体は、書き換え可能な記録媒体であることを特徴とする請求項１に記載の記録媒体。
【請求項１５】
前記記録媒体は、追記型の記録媒体であることを特徴とする請求項１に記載の記録媒体。
【請求項１６】
前記記録媒体は、再生専用の記録媒体であることを特徴とする請求項１に記載の記録媒体。
【請求項１７】
記録媒体へのアクセス制御方法において、
少なくとも１つのアクセス制御情報を識別するステップであって、各アクセス制御情報は、前記ユーザデータ領域において少なくとも１つのセグメント領域を識別するセグメントデータと、前記少なくとも１つのセグメント領域へのアクセスを制御する制御データとを含むことと、
重複規則に従って、前記少なくとも１つのセグメント領域における重複領域へのアクセスを制御するステップと
を備えることを特徴とするアクセス制御方法。
【請求項１８】
前記重複規則は、論理輪（ＯＲ）規則であることを特徴とする請求項１７に記載のアクセス制御方法。
【請求項１９】
前記重複領域を識別する前記セグメントデータを含むすべての前記アクセス制御情報がアクセスを許可する場合に、前記重複領域への前記アクセスが許可されることを特徴とする請求項１８に記載のアクセス制御方法。
【請求項２０】
前記重複領域を識別する前記セグメントデータを含む前記アクセス制御情報の１つが前記重複領域へのアクセスを許可しない場合に、前記重複領域へのアクセスは許可されないことを特徴とする請求項１８に記載のアクセス制御方法。
【請求項２１】
前記アクセスは、読み取りおよび／または書き込み動作を含むことを特徴とする請求項１７に記載のアクセス制御方法。
【請求項２２】
前記重複規則は、最新の（ｍｏｓｔ  ｒｅｃｅｎｔ）規則であることを特徴とする請求項１７に記載のアクセス制御方法。
【請求項２３】
前記重複領域へのアクセスは、最新のアクセス制御情報に従って制御されることを特徴とする請求項２２に記載のアクセス制御方法。
【請求項２４】
前記アクセス制御情報の各々は、前記アクセス制御情報が知られていないときに使用される未知の規則を含むことを特徴とする請求項１７に記載のアクセス制御方法。
【請求項２５】
前記未知の規則は、前記少なくとも１つのセグメント領域に対するデータゾーンビットを含み、前記データゾーンビットは前記アクセス制御情報の各々に対して利用可能なアクションを示していることを特徴とする請求項２４に記載のアクセス制御方法。
【請求項２６】
記録媒体へ記録しおよび／または記録媒体から再生する方法であって、
少なくとも１つのアクセス制御情報を識別するステップであって、各アクセス制御情報は、前記ユーザデータ領域において少なくとも１つのセグメント領域を識別するセグメントデータと、前記少なくとも１つのセグメント領域へのアクセスを制御する制御データとを含むことと、
重複規則に従って、前記少なくとも１つのセグメント領域における重複領域へ記録しまたは重複領域から再生するステップと
を備えることを特徴とする記録および／または再生方法。
【請求項２７】
データ領域を有する記録媒体へ記録しおよび／または記録媒体から再生する装置であって、
光学デバイスと、
少なくとも１つのアクセス制御情報に従って、前記光学デバイスを制御するコントローラであって、前記少なくとも１つのアクセス制御データは、前記ユーザデータ領域においてセグメント領域を識別するセグメントデータと、前記セグメント領域へのアクセスを制御する制御データとを含むことと
を備え、前記コントローラは、重複規則に従って前記セグメント領域における重複領域へのアクセスを制御することを特徴とする装置。
【請求項２８】
前記コントローラは、前記重複領域を識別する前記セグメントデータを含むすべての前記アクセス制御情報がアクセスを許可する場合に、前記重複領域への前記アクセスを許可することを特徴とする請求項２７に記載の装置。
【請求項２９】
前記コントローラは、前記重複領域を識別する前記セグメントデータを含む前記アクセス制御情報の１つが前記重複領域へのアクセスを許可しない場合に、前記重複領域へのアクセスを許可しないことを特徴とする請求項２７に記載の装置。
【請求項３０】
データ領域を有する記録媒体へ記録しおよび／または記録媒体から再生するシステムであって、
前記記録媒体への記録および／または前記記録媒体からの再生コマンドを生成するホストデバイスと、
前記コマンドに従って、前記記録媒体への記録および／または前記記録媒体からの再生をする装置であって、前記装置は、
光学デバイスと、
少なくとも１つのアクセス制御情報に従って、前記光学デバイスを制御するコントローラであって、前記少なくとも１つのアクセス制御データは、前記ユーザデータ領域においてセグメント領域を識別するセグメントデータと、前記セグメント領域へのアクセスを制御する制御データとを含むこととを含み、
前記コントローラが、重複規則に従って前記セグメント領域における重複領域へのアクセスを制御することを特徴とするシステム。
【請求項３１】
前記コントローラは、前記重複領域を識別する前記セグメントデータを含むすべての前記アクセス制御情報がアクセスを許可する場合に、前記重複領域への前記アクセスを許可することを特徴とする請求項３０に記載のシステム。
【請求項３２】
前記コントローラは、前記重複領域を識別する前記セグメントデータを含む前記アクセス制御情報の１つが前記重複領域へのアクセスを許可しない場合に、前記重複領域へのアクセスを許可しないことを特徴とする請求項請求項３０に記載のシステム。
【請求項３３】
前記少なくとも１つのアクセス制御情報は、前記記録媒体のリードイン領域および／またはインナー領域にあることを特徴とする請求項１に記載の記録媒体。
【請求項３４】
前記少なくとも１つのアクセス制御情報は、前記記録媒体の記録ユニットに記録されることを特徴とする請求項１に記載の記録媒体。
【請求項３５】
各々の記録層は、前記少なくとも１つのアクセス制御情報のコピーを保存する領域をさらに備えることを特徴とする請求項１に記載の記録媒体。